(57)【要約】【課題】盗んだ場合には商品価値がなくなるようにすることによって結果的に盗難を防止することができるレーザ墨出し器を提供することをその課題とする。【解決手段】電源２に接続する本体操作スイッチ３と、レーザ照射スイッチ５と、レーザ照射部６と、全体を制御する制御プログラムを記憶したメモリを内蔵したＣＰＵとを有するとともに上記制御プログラムに基づいて上記本体操作スイッチ３とレーザ照射スイッチ５のオンオフに従って上記レーザ照射部６を制御する制御基板４とを備えたレーザ墨出し器において、上記電源２と上記レーザ照射部６との間に設けられた回路を開閉するキースイッチ８と、上記キースイッチ８に着脱自在に設けられて上記キースイッチ８から取り外されている状態で上記回路を開成するキープレート１６とを有する。【選択図】図１
2006250611.tif 000002
【特許請求の範囲】
【請求項１】
電源に接続する本体操作スイッチと、レーザ照射スイッチと、レーザ照射部と、全体を制御する制御プログラムを記憶したメモリを内蔵したＣＰＵとを有するとともに上記制御プログラムに基づいて上記本体操作スイッチとレーザ照射スイッチのオンオフに従って上記レーザ照射部を制御する制御基板とを備えたレーザ墨出し器において、上記電源と上記レーザ照射部との間に設けられた回路を開閉するキースイッチと、上記キースイッチに着脱自在に設けられて上記キースイッチから取り外されている状態で上記回路を開成するキープレートとを有することを特徴とするレーザ墨出し器。
【請求項２】
上記キースイッチが、上記電源と上記制御基板との間の回路上に設けられたことを特徴とする、請求項1記載のレーザ墨出し器。
【請求項３】
上記キースイッチが、上記制御基板と上記レーザ照射スイッチとの間の回路上に設けられたことを特徴とする、請求項1記載のレーザ墨出し器。
【請求項４】
上記キースイッチが、上記制御基板と上記レーザ照射部との間に設けられたことを特徴とする、請求項1記載のレーザ墨出し器。
【請求項５】
上記キースイッチを、上記本体操作スイッチと一体にしたことを特徴とする、請求項1記載のレーザ墨出し器。
【請求項６】
上記制御基板に接続された警報装置を備え、上記ＣＰＵは、上記キースイッチのオンオフ状態を監視し、上記キースイッチがオンされない状態で上記キースイッチのオン操作以外の操作がなされると、上記警報装置を作動させることを特徴とする、請求項1記載のレーザ墨出し器。
【発明の詳細な説明】
【技術分野】
【０００１】
本発明は、垂直方向、水平方向又は垂直・水平両方向に縦又は横に広がるレーザ光を照射して床面、壁面及び天井面等に直線状の墨出しラインを表わすようにしたレーザ墨出し器に関する。
【背景技術】
【０００２】
一般に、レーザ墨出し器は建築現場などで垂直方向、水平方向又は垂直・水平両方向の墨出しラインが必要なときに直線状のレーザ光を照射して墨出しラインを生じさせるものである。
【０００３】
ところで、高層マンションの造作工事などの施工現場で１日の仕事が終了した後、作業者が帰宅し、あるいは事務所に戻る場合、使用したコンプレッサ、丸鋸、充電工具、空圧工具などの機械装置類やレーザ墨出し器などの機器類をいちいち全て建築現場から持ち帰り、翌日また施工現場に持って行くのは煩わしい。特に、エレベータがまだ設置されていない施工段階では、階段を上り下りしなければならないので重いものを運ぶのは労力を要し、面倒である。このため、作業者は装置類や機器類を現場においたまま帰ることが多い。軽量な装置類や機器類は持ち帰ることができるが、工具類や機器類は数も多いので、結局面倒になり、施工現場に置いたままにしているのが現状である。一般住宅の施工現場でも同様である。
【０００４】
このように施工現場に人がいなくなると、特に単品状態での持ち去りが容易な物品は盗難に遭いやすい。施工現場に使用される機器類の中でもレーザ墨出し器は盗まれる頻度が高い。その理由は、レーザ墨出し器は規模の大小に関わらず多くの建築現場で使用されるものであり、また空圧工具などと異なり、電源が内蔵され、いつでも使えるからである。しかも、小型で軽く、持ち運びしやすい割りには高価であるから、盗まれたものが中古品市場で売買されている例も多く見られる。そして、盗難品の真の所有者がそれを発見しても、自己のものであることを証明することができずに泣き寝入りせざるを得ない場合が多い。
【０００５】
このため、現場の柱などにワイヤなどでつないでおくのが有効であるが、施工現場には必ずしも都合のいい柱などがあるわけではなく、十分なスペースが確保できないほか、ワイヤなどでは切断されて持ち去られてしまう可能性がある。
【０００６】
その他、盗難を防止する手段として、パスワードや暗証番号の入力で動作を可能にするものや、指紋を登録しておき、使用時には登録された指紋と照合して動作を可能にするものや、自動車のインテリジェントキーシステムやイモビライザー等に相当する盗難防止装置を搭載するようなことが考えられる。
【特許文献１】特開２００３−３１５０４３公報
【特許文献２】特開２００３−２５１５７９公報
【発明の開示】
【発明が解決しようとする課題】
【０００７】
しかしながら、これらの盗難防止手段はいずれも機構が複雑で装置が大型化してしまうとともに高価になるので、レーザ墨出し器には不向きであった。
【０００８】
本発明は上記問題点を解消することを目的とし、盗んだ場合には商品価値がなくなるようにすることによって結果的に盗難を防止することができるレーザ墨出し器を提供することをその課題とする。
【課題を解決するための手段】
【０００９】
請求項１に係る発明は、電源に接続する本体操作スイッチと、レーザ照射スイッチと、レーザ照射部と、全体を制御する制御プログラムを記憶したメモリを内蔵したＣＰＵとを有するとともに上記制御プログラムに基づいて上記本体操作スイッチとレーザ照射スイッチのオンオフに従って上記レーザ照射部を制御する制御基板とを備えたレーザ墨出し器において、上記電源と上記レーザ照射部との間に設けられた回路を開閉するキースイッチと、上記キースイッチに着脱自在に設けられて上記キースイッチから取り外されている状態で上記回路を開成するキープレートとを有することを特徴とする。
【００１０】
請求項２に係る発明は、上記キースイッチが電源と制御基板との間に設けられたことを特徴とする。
【００１１】
請求項３に係る発明は、上記制御基板と照射スイッチとの間に設けられたことを特徴とする。
【００１２】
請求項４に係る発明は、上記制御基板とレーザ照射部との間に設けられたことを特徴とする。
【００１３】
請求項５に係る発明は、上記キースイッチを、上記本体操作スイッチと一体にしたことを特徴とする。
【００１４】
請求項６に係る発明は、上記制御基板に接続された警報装置を備え、上記ＣＰＵは、上記キースイッチのオンオフ状態を監視し、上記キースイッチがオンされない状態で上記キースイッチのオン操作以外の操作がなされると、上記警報装置を作動させることを特徴とする。
【発明の効果】
【００１５】
請求項１〜５に係る発明によれば、キースイッチからキープレートを取り外すことで回路が開成してレーザ照射部からレーザ光が照射されなくなるので、レーザ墨出し器を使用に供することができない。このように、キースイッチの操作ができないものを入手しても商品価値がないから、盗んでも徒労に終わることになる。したがって、その副次的効果として盗難を良好に防止することができる。
【００１６】
請求項６に係る発明によれば、キースイッチがオンされない状態でキースイッチのオン操作以外の操作がされたときには、警報装置が作動するので、誤操作であることを知ることができるほか、レーザ墨出し器を盗もうとしたときには警報音で撃退することができるから、盗難をさらに有効に防止することができる。
【発明を実施するための最良の形態】
【００１７】
図１はレーザ墨出し器の斜視図、図２はその平面図であり、図３はレーザ墨出し器内部の電気的構成を説明するブロック図を示すもので、レーザ墨出し器は、公知のものと同じく、墨出し器本体１に電源２に接続する本体操作スイッチ３と制御基板４と照射スイッチ５とレーザ照射部６ａ、６ｂとを有するもので、レーザ照射部６は墨出し器本体１の内部に垂直のレーザ光を発光する垂直のレーザ照射部６ａと水平のレーザ光を発光する水平のレーザ照射部６ｂとを一体的に備えたものである。上記レーザ照射部６は、墨出し器本体１内の箱状フレーム（図示せず）の上部に吊り下げて鉛直に保持され、常に垂直又は水平のレーザ光を選択的に照射することができるように構成されている。そして、垂直のレーザ光は垂直照射口７ａから、水平のレーザ光は水平照射口７ｂから照射されるようになっている。
【００１８】
ところで、本体操作スイッチ３の上部にはキースイッチ８が設けられている。実際の操作にあたっては、キースイッチ８と本体操作スイッチ３とを操作し、さらに照射スイッチ５の縦ボタン５ａ又は横ボタン５ｂあるいは両ボタン５ａ、５ｂを押すことにより、垂直照射口７ａ又は水平照射口７ｂあるいは両照射口から垂直又は水平あるいは両方のレーザ光が照射される。壁面に照射されたレーザ光は縦（垂直）又は横（水平）の墨出しラインを、また天井又は床面に照射されたレーザ光は縦の墨出しラインを表示するようになっている。
【００１９】
図３はレーザ墨出し器の電気的構成を説明するブロック図を示し、制御基板４はレーザ墨出し器全体を制御する制御プログラムを記憶したメモリが内蔵されたＣＰＵ、各デバイス（レーザ照射部６ａ、レーザ照射部６ｂ、ＬＥＤ１０）を駆動するドライブ回路、傾斜センサ１１の検出信号をデジタル信号に変換するＡＤ変換回路、照射スイッチ５の入力信号の波形成形回路等が配置されているもので、ＣＰＵは傾斜センサ１１の検出信号、照射スイッチ５の状態を監視し、制御プログラムに基づいてレーザ照射部６ａ、レーザ照射部６ｂの点灯を制御するようになっている。なお、符号１２はレーザ照射部６ａ、レーザ照射部６ｂと制御基板４とを中継する中継基板を示す。
【００２０】
なお、本体操作スイッチ３は電源２を入り切りするための電源スイッチで、本体操作スイッチ３を押し操作することにより電源が入るようになっている。
【００２１】
ＬＥＤ１０は電源の状態を表示するもので、電圧が正常であれば緑色に点灯し、電池の消耗が進むとオレンジ色に代わり、電池の状態が目視できるようになっている。
【００２２】
照射スイッチ５は縦ボタン５ａに対応したタクトスイッチ、横ボタン５ｂに対応したタクトスイッチで構成され、押したボタン（オンしたタクトスイッチ）に対応して縦又は横の何れかの墨出しラインの照射を選択するもので、両方のボタンが押された場合は、縦横の墨出しラインを表わすレーザ光を同時に照射できるようになっている。
【００２３】
傾斜センサ１１は、墨出し器の水平状態を監視するもので、傾斜センサ１１の検出信号が、許容範囲を超えた傾きであるとＣＰＵが判断した場合は、ＣＰＵはレーザの照射を自動的に中止するようになっている。すなわち、上述のように、レーザ照射部６はフレームに吊り下げられているから、レーザ照射部６ａ、６ｂがフレームの内側で自由に動けるときは、レーザ光は床面の水平度に関係なく水平又は垂直のレーザ光を出すことができる。しかし、墨出し器本体１の傾きが大き過ぎると、傾いたフレームにレーザ照射部６ａ、６ｂが当ってしまうから、正確なレーザ光を発光することができない。このため、傾斜センサ１１で水平状態を監視しておき、傾斜が大きいときはレーザ光の発光を停止できるようにしているのである。なお、傾斜センサ１１は、図３に簡単に示すように、上述のレーザ照射部６ａ、６ｂと一体的に形成された水平板１３の穴１４を、墨出し器本体１に設けられた透過型のフォトセンサ１５によって検出するように構成し、傾斜が大き過ぎるときは穴１４が検出できないようにしたものでよいが、他の機構を採用したものでもよい。
【００２４】
次に、キースイッチ８は電源２とレーザ照射部６との間の回路を開閉するためのもので、図３の例では電源２と制御基板４との間の回路上に設けられている。キースイッチ８としては、図１、図２に示されるように、例えばキーシリンダ１５にキープレート１６を抜き差し自在に設け、キーシリンダ１５の裏側には電源２と制御基板４とを結ぶ回路上に直列に配置されたマイクロスイッチ（図示せず）を配置し、キープレート１６の回動操作によりマイクロスイッチをオンオフできるようにすればよい。
【００２５】
上述の構成において、レーザ墨出し器を使用するときは、通常はキープレート１６を鍵穴に入れて回し、キースイッチ８をオンし、その後に本体操作スイッチ３、横ボタン５ｂ・縦ボタン５ａを押すことによってレーザ光を発光させることができる。しかし、キースイッチ８をオンしない状態で墨出し器本体１４の本体操作スイッチ３を操作した場合は、回路が開いたままの開成状態なので、レーザ墨出し器は作動しない。
【００２６】
したがって、作業終了後にレーザ墨出し器を持ち帰らなくても、キースイッチがオフ状態でキープレート１６をキーシリンダ１５から取り外して持ち帰れば、キープレート１６無しの状態ではレーザ墨出し器を使用することができないので、盗んでも無駄ということになり、結果的に盗難を有効に防止することができる。
【００２７】
また、キースイッチ８は回路上に配置すればよく、制御プログラムに関係しないので、既に商品化されているレーザ墨出し器に簡単な設計変更を加えれば住むので、低コストで実施することができる。
【００２８】
なお、キースイッチ８にキーが回されたかどうかを検出するための回路を１回路増やし、ＣＰＵでキーのオンオフ状態を常に監視し、オフの状態で本体操作スイッチ３が操作されたときには誤操作として次のステップに進まない（作動しない）ようにすると同時に、警報装置を作動させてアラーム音を発するように制御してもよい。このように構成すると、レーザ墨出し器を盗もうとした者を警報音で撃退することができるから、盗難をさらに有効に防止することができる。
【００２９】
また、キースイッチ８は電源２とレーザ照射部６との間の適宜部位に設けられていればよく、電源２と制御基板４の間に配置される例に限定されない。例えば、図３の８ａのように制御基板４と照射スイッチ５との間に配置し、キースイッチ８ａをオンしなければ照射スイッチ５が機能しないようにしてもよいし、
同図の８ｂのように制御基板４とレーザ照射部６、レーザ照射部６ｘ３との間に配置し、キースイッチ８ｂをオンしなければレーザが照射されないようにしてもよい。
【００３０】
また、図示はしないがキースイッチと本体操作スイッチ３とを一体の構成とし、キースイッチに電源スイッチの機能を持たせ、キースイッチのオン・オフ操作に応じて直接電源の入り切りができるようにしてもよい。
【００３１】
なお、レーザ墨出し器には上述のように垂直の墨出しラインと水平墨出しラインを表わすもののほか、垂直ラインだけを照射するものや、十字又は直交ラインを照射できるもの、あるいは全方向に墨出しラインを照射できるものなどいろいろあるが、いずれも基本的には図３に表わしたものと同様の回路を有しており、これらのものにも上述のキースイッチを適用することができる。
【００３２】
また、今後の技術の進展によって、パスワードや暗証番号を入力する方式の鍵装置や、指紋照合式の鍵装置、インテリジェントキーシステムやイモライザー等を小型化することが可能になれば、上記実施例中に示したキースイッチやキープレートに代えて、これらの鍵装置を本発明に適用することができることについては詳述するまでもない。
【図面の簡単な説明】
【００３３】
【図１】本発明に係るレーザ墨出し器の斜視図である。
【図２】上記レーザ墨出し器の平面図である。
【図３】レーザ墨出し器の電気的構成を説明するブロック図である。
【符号の説明】
【００３４】
１  墨出し器本体
２  電源
３  本体操作スイッチ
５  照射スイッチ
６  レーザ照射部
８  キースイッチ
１６  キープレート
【図１】
2006250611.tif 000003
【図２】
2006250611.tif 000004
【図３】
2006250611.tif 000005